(57)【要約】【課題】フルカラー表示可能な表示装置を低コストで提供する。【解決手段】表示装置１０は、回転部１１と、この回転部１１を回転自在に軸支する固定軸１２，１３と、この固定軸１２，１３を回転中心として回転部１１を回転させる回転駆動部１４と、トランスミット基板１５で構成されている。回転部１１は、赤色の光を発光するＬＥＤ群１７が配列された第１保持部２０と、緑色の光を発光するＬＥＤ群１８が配列された第２保持部２１と、青色の光を発光するＬＥＤ群１９が配列された第３保持部２２とを有しており、この３つの保持部２０，２１，２２は、固定軸１２，１３を中心とする円周を３等分する位置に配置されている。トランスミット基板１５に設けられた制御部は、回転駆動部１４を制御して回転部１１を回転させ、この回転位置に基づいてＬＥＤ群１７，１８，１９の明るさを制御することによりフルカラー表示を行う。【選択図】        図１
2004254947.tif 000002
【特許請求の範囲】
【請求項１】
遊技機で使用するメダルを貸し出すメダル貸出機または遊技機に用いられる表示装置であり、複数の発光素子が配列された回転部と、前記回転部を回転自在に軸支する固定軸と、前記固定軸を回転中心として前記回転部を回転させる回転駆動手段と、前記発光素子の点灯を前記回転部の回転位置に基づいて制御する制御手段とを備える表示装置において、
前記回転部は、赤色の光を発光する複数の発光素子がライン状に配列された第１保持部と、緑色の光を発光する複数の発光素子がライン状に配列された第２保持部と、青色の光を発光する複数の発光素子がライン状に配列された第３保持部とを備えていることを特徴とする表示装置。
【請求項２】
前記第１保持部、前記第２保持部、及び前記第３保持部は、前記固定軸を回転中心とする円周を略３等分する位置に配置されていることを特徴とする請求項１記載の表示装置。
【請求項３】
前記第１保持部、前記第２保持部、及び第３保持部は、前記固定軸に対向する面である向心面と、前記向心面とは逆側の面である遠心面とを備え、
前記向心面に固定される前記複数の発光素子と前記遠心面に固定される前記複数の発光素子との一対を単位として、前記第１保持部、前記第２保持部、及び前記第３保持部にライン状に配置されていることを特徴とする請求項１または請求項２記載の表示装置。
【請求項４】
表示装置用窓部を備える筐体と、
前記表示装置用窓部から見える範囲内を前記発光素子が移動するように前記筐体に取り付けられた請求項１ないし請求項３のいずれかに記載の表示装置とを有することを特徴とする遊技機。
【請求項５】
表示装置用窓部を備える筐体と、
前記表示装置用窓部から見える範囲内を前記発光素子が移動するように前記筐体に取り付けられた請求項１ないし請求項３のいずれかに記載の表示装置とを有することを特徴とするメダル貸出機。
【発明の詳細な説明】
【０００１】
【発明の属する技術分野】
本発明は、遊技機で使用するメダルを貸し出すメダル貸出機または遊技機に用いられる表示装置、それを用いた遊技機およびメダル貸出機に関する。
【０００２】
【従来の技術】
最近のスロットマシンでは、３本のリールとは別に、表示装置を３本のリールの周辺に設け、ゲームの経過や当選役の種類に応じた表示を行ってゲームの雰囲気を盛り上げる効果を演出しているものがある。このような表示装置では、発光ダイオード等の発光素子を用いて表示領域全体に多数の発光素子を密に配置するのが一般的であり、例えば縦方向６４個横方向３２個といった膨大な数の発光素子が配置されている。
【０００３】
一方、スロットマシンに投入されるメダルの貸出を行うメダル貸出機は、紙幣投入口から紙幣が投入されると、投入された紙幣の金額に応じた枚数のメダルをメダル受取部に送出する。この際、紙幣投入口の下方に設けられた表示装置においても、前述したスロットマシンの表示装置と同様に、発光ダイオードなどの発光素子を表示領域全体に密に配置して形成されたものが用いられることがある。
【０００４】
このような表示装置では、膨大な数の発光素子を必要とするためにコストが高くなるという問題があった。また、これらの発光素子は同一平面上に配置されているので演出効果に乏しく、面白みに欠けるという欠点があった。
【０００５】
このような問題を解決するために、本出願人から、発光素子がライン状に配置された回転部と、その回転部と略平行になるように回転部を回転自在に軸支する固定軸とを備え、この固定軸を回転中心として回転部を回転させることにより、残像効果を利用して少ない数の発光素子で表示を行うことを可能にし、且つ表示面を円筒面等の曲面にすることにより演出効果を向上させた表示装置が出願されている（特許文献１参照）。
【０００６】
【特許文献１】
特願２００２−２６９０１２号
【０００７】
【発明が解決しようとする課題】
しかしながら、上述した特許文献１の表示装置では少ない数の発光素子で表示を可能にしているために低コストで製造可能であるが、２色の光を発光する発光素子が１列ずつ配置されているだけであり、表示色の自由度が低く、複雑な色の表示を行って演出効果を高めるという点では、まだもの足りないという問題があった。
【０００８】
本発明は、上記問題点を解決するためのもので、光の三原色であるＲＧＢの各色を発光する３種類の発光素子が設けられた３個の保持部を設け、フルカラー表示を可能にして演出効果を高めた表示装置、それを用いた遊技機およびメダル貸出機を提供することを目的とする。
【０００９】
【課題を解決するための手段】
上記問題点を解決するために、本発明の表示装置は、遊技機で使用するメダルを貸し出すメダル貸出機または遊技機に用いられる表示装置であり、複数の発光素子が配列された回転部と、回転部を回転自在に軸支する固定軸と、固定軸を回転中心として回転部を回転させる回転駆動手段と、前述の発光素子の点灯を回転部の回転位置に基づいて制御する制御手段とを備える表示装置であり、回転部は、赤色（Ｒ）の光を発光する複数の発光素子がライン状に配列された第１保持部と、緑色（Ｇ）の光を発光する複数の発光素子がライン状に配列された第２保持部と、青色（Ｂ）の光を発光する複数の発光素子がライン状に配列された第３保持部とを備えていることを特徴とするものである。前述の制御部がこれらの光の３原色であるＲＧＢの各色を発光する発光素子の点灯を制御することによりフルカラー表示することができる。
【００１０】
また、前述の第１保持部、第２保持部、及び第３保持部は、固定軸を回転中心とする円周を略３等分する位置に配置されていることを特徴とするものである。
【００１１】
さらに、前述の第１保持部、第２保持部、及び第３保持部は、固定軸に対向する面である向心面と、向心面とは逆側の面である遠心面とを備えており、向心面に固定される複数の発光素子と遠心面に固定される複数の発光素子との一対を単位として、第１保持部、第２保持部、及び第３保持部にライン状に配置されていることを特徴とするものである。
【００１２】
本発明の遊技機は、表示装置用窓部を備える筐体と、この表示装置用窓部から見える範囲内を複数の発光素子が移動するように筐体に取り付けられた前記表示装置とを有するものである。
【００１３】
本発明のメダル貸出機は、表示装置用窓部を備える筐体と、この表示装置用窓部から見える範囲内を複数の発光素子が移動するように筐体に取り付けられた前記表示装置とを有するものである。
【００１４】
【発明の実施の形態】
本実施形態においては表示装置と、それを用いた遊技機およびメダル貸出機について説明を行う。なお、本発明は本実施形態に限定されるものではない。
【００１５】
図１は、本発明の表示装置１０の構成を示す斜視図である。表示装置１０は、回転部１１と、この回転部１１を回転自在に軸支する２つの固定軸１２，１３と、回転部１１を固定軸１２，１３を回転中心にして回転駆動させる回転駆動手段としての回転駆動部１４と、表示装置１０の全体を制御するトランスミット基板１５と、回転位置検出部１６とで構成されている。
【００１６】
回転部１１は、複数の発光素子としての発光ダイオード（以下ＬＥＤと称する）群１７，１８，１９がライン状に配列された第１保持部２０，第２保持部２１，第３保持部２２と、この３つの保持部２０，２１，２２を固定軸１２，１３を回転中心として回転自在にするために形成された２つの軸受２４，２５と、２つの支持部２６，２７とで構成されている。これらの保持部２０，２１，２２は透明な樹脂で形成されており、図２の回転部１１の平面図に示すように、固定軸１２，１３を中心とする円周を３等分するように配置されている。すなわち、３つの保持部２０，２１，２２の各々が、１２０度回転された位置に配置されている。また、３つの保持部２０，２１，２２は、支持部２６，２７によりそれぞれが連結され、さらに軸受２４，２５と一体に連結されている。さらに、この２つの支持部２６，２７のうち、上方に位置する支持部２６には、上面にレシーバ基板２８が一体に形成されている。なお、本実施形態においては、固定軸を２本の固定軸１２，１３に分割して構成しているが、これに限るものではなく、１本の同軸にしても良い。
【００１７】
また、ＬＥＤ群１７，１８，１９は、光の三原色であるＲＧＢの各色を発光する３種類のＬＥＤ群である。ＬＥＤ群１７は、赤色の光を発光するＬＥＤで構成され、ＬＥＤ群１８は、緑色の光を発光するＬＥＤで構成され、ＬＥＤ群１９は、青色の光を発光するＬＥＤで構成されている。
【００１８】
第１保持部２０は、上下方向に延び透明な樹脂で形成された細い板であり、固定軸１２，１３を中心とする円周に接し、回転中心線ＣＬと平行になるように配置されている。図３は、回転部１１の第１保持部２０の側面断面図を示しており、第１保持部２０には、赤色の光を発光するＬＥＤ群１７が上下方向に沿ってライン状に配列され固定されている。この第１保持部２０は、固定軸１２，１３に対向する面である向心面２０Ｂと、この向心面２０Ｂとは逆側の面（回転時に外側に位置する面）である遠心面２０Ａとを備えている。
【００１９】
このＬＥＤ群１７は、第１保持部２０の長さ方向の同位置で遠心面２０Ａに固定されるＬＥＤ１７−１Ａ〜１７−１６Ａと、向心面２０Ｂに固定されるＬＥＤ１７−１Ｂ〜１７−１６Ｂとの各一対を単位として配置されている。これにより、ＬＥＤ群１７は、回転部１１の回転中心線ＣＬと平行になるように遠心面２０Ａと向心面２０Ｂに一列に配置される。よって、ＬＥＤ群１７は、回転部１１が回転駆動した時に、その軌跡は円筒面を描く。
【００２０】
また、保持部２０は遠心面２０Ａと向心面２０Ｂとの両側にＬＥＤ群１７が配置されているので、第１保持部２０の回転領域の外側から表示装置１０を見る場合、第１保持部２０が固定軸１２，１３より手前（観察方向手前側）にある領域では遠心面２０Ａに固定されたＬＥＤ１７−１Ａ〜１７−１６Ａによる表示を行い、第１保持部２０が固定軸１２，１３より遠方（観察方向奥側）にある領域では向心面２０Ｂに固定されたＬＥＤ１７−１Ｂ〜１７−１６Ｂによる表示を行う。
【００２１】
第２保持部２１は、第１保持部２０と同様の構成であり、緑色の光を発光するＬＥＤ群１８が上下方向に沿ってライン状に配列され固定されており、第２保持部２１の長さ方向の同位置で遠心面２１Ａに固定される発光ダイオード１８−１Ａ〜１８−１６Ａと、向心面２１Ｂに固定される発光ダイオード１８−１Ｂ〜１８−１６Ｂとの各一対を単位として配置されている。
【００２２】
第３保持部２２も、第１保持部２０と同様の構成であり、青色の光を発光するＬＥＤ群１９が上下方向に沿ってライン状に配列され固定されており、第２保持部２２の長さ方向の同位置で遠心面２２Ａに固定されるＬＥＤ１９−１Ａ〜１９−１６Ａと、向心面２２Ｂに固定されるＬＥＤ１９−１Ｂ〜１９−１６Ｂとの各一対を単位として配置されている。
【００２３】
このように、本実施形態においては、複数の発光素子としてＬＥＤ群１７，１８，１９を用いている。ＬＥＤは一般の電球に比べてスイッチング時間が短いため、保持部２０，２１，２２を高速で回転させた場合でも、１回の回転の間に多数回スイッチングすることが可能であり、複雑な表示を行うことができる。また、ＬＥＤは一般の電球に比べて寿命が長いため、メンテナンスのコストを削減することができる。また、３つの保持部２０，２１，２２に１６対のＬＥＤ群１７，１８，１９を配置するように説明したが、本発明の表示装置は保持部２０，２１，２２に任意数のＬＥＤを配置して構成しても良い。
【００２４】
回転駆動部１４は、モータ２９とギア３０で構成されている。本実施形態においては、モータ２９として、ＤＣモータを用いた例について説明を行う。このモータ２９の駆動がギア３０を介して、軸受２４の外周面の上部に形成されたギア２４ａに伝達される。回転部１１は、固定軸１２，１３により回転自在に軸支されているので、ギア２４ａにモータ２９の駆動が伝達されると回転部１１が回転駆動を行う。これにより、３つの保持部２０，２１，２２に配置されたＬＥＤ群１７，１８，１９が、保持部２０，２１，２２とともに回転駆動する。この回転駆動により、人の視神経における残像現象を利用してＬＥＤ群１７，１８，１９の回転によってカバーされる領域全体に亘る表示を行うことが可能である。ただし、残像現象を利用するので回転駆動は十分速く行う必要がある。表示にちらつきを感じさせないようにするためには、例えばこの回転駆動の周期を１２ｍｓ以下にすることが好ましい。
【００２５】
また、回転位置検出部１６は、回転部１１が所定の回転位置にあることを検出する。この回転位置検出部１６は、インデックスセンサ１６ａとインデックス１６ｂとで構成されおり、インデックスセンサ１６ａは固定軸１２に配置され、インデックス１６ｂは軸受２４の上面に配置されている。このインデックスセンサ１６ａには、フォトダイオード（図示せず）と、フォトトランジスタ（図示せず）とが設けられており、このフォトダイオードからの光を受けるようにフォトトランジスタ（図示せず）が配置されている。インデックス１６ｂは、軸受２４が所定の回転位置にある時に、インデックス１６ｂがフォトダイオードからフォトトランジスタへの光を遮るよう配置されている。これにより、回転部１１の所定の回転位置が検出される。この所定の回転位置を３つの保持部２０，２１，２２の表示開始位置に設定することができる。
【００２６】
また、この回転位置検出部１６により、保持部２０，２１，２２が回転する周期を検出することが可能である。さらに、この回転位置検出部１６が、ＬＥＤ群１７，１８，１９の表面表示開始位置および裏面表示開始位置のそれぞれに対応する信号を取得するようにして、それらの信号に同期させて表示を行うようにしても良い。
【００２７】
次に、表示装置１０の電気的構成について説明を行う。図４は、表示装置１０の電気的構成を示すブロック図である。表示装置１０には、トランスミット基板１５上に表示装置１０の全体の制御を行う制御手段として制御部３１が設けられており、モータ２９、及び回転位置検出部１６に接続されている。さらに、トランスミット基板１５上には、パラシリ変換部３４と、変換部としての赤外線トランスミッタ３５とが設けられ制御部３１と接続されており、制御部３１により制御される。また、トランスミット基板１５は、電源３２と接続されており、トランスミット基板１５内の各部に電源が供給される。
【００２８】
制御部３１は、パラシリ変換部３４を制御して、表示装置１０によって表示される表示信号をパラレル信号からシリアル信号に変換して出力させる。シリアル信号に変換された表示信号は、赤外線トランスミッタ３５に送信され、ここで光信号である赤外線信号に変換される。
【００２９】
また、回転部１１のレシーバ基板２８には、再変換部としての赤外線レシーバ３６と、シリパラ変換部３７と、発光素子駆動回路としての駆動回路３８とが設けれている。この赤外線レシーバ３６は軸受２４内に設けられており、前述の赤外線トランスミッタ３５に光ファイバ３９を介して接続されている。赤外線トランスミッタ３５から出力された赤外線は、光ファイバ３９内を伝播して赤外線レシーバ３６に入射する。この赤外線レシーバ３６は、赤外線トランスミッタ３５から出力されて伝達された赤外線信号を再びシリアル信号の表示信号に変換する。これにより、表示信号が回転部１１の赤外線レシーバ３６に送信される。
【００３０】
シリパラ変換部３７は、赤外線レシーバ３６により変換されたシリアル信号の表示信号をパラレル信号の表示信号に変換を行う。その後、パラレル信号の表示信号は、駆動回路３８により受信され、この駆動回路３８がこの信号に基づいて、ＬＥＤ群１７，１８，１９を駆動する。この駆動回路３８はレシーバ基板２８に形成せずに支持部２６，２７に形成しても良いし、保持部２０，２１，２２に形成しても良い。
【００３１】
前述した軸受２４には、固定軸１２から軸受２４に導電させるための導電機構としてスリップリング（図示せず）を備えており、電源３２からトランスミット基板１５に供給された電力がスッリプリングを介して回転部１１の各部に供給される。このため、レシーバ基板２８に設けられた駆動回路３８などへの電源供給を回転部１１の回転に拘わらず、スリップリングを介して確実に行うことができ、赤外線信号を送信するための光ファイバ３９や、電源供給のための配線などによって阻害されることなく回転部１１が回転することができる。
【００３２】
なお、導電機構はスリップリングに限らず、固定軸１２から軸受２４に導電させる機構であれば他の機構でも良い。例えば、非接触で電力を伝達する電磁誘導コイルを用いて、駆動回路３８などに電力供給するようにしても良い。これにより、非接触で電力を伝達する電磁誘導コイルを介して駆動回路３８に電源供給が行われるので、回転部１１の回転によって阻害されることなく回転部１１の支持部２６に形成されたレシーバ基板２８に設けられた駆動回路３８などへの電源供給を行うことができる。
【００３３】
また、シリアル信号に変換された表示信号が、トランスミット基板１５から回転部１１に設けられたレシーバ基板２８へ光ファイバ３９を介して光信号で伝達されるように説明したが、シリアル信号に変換された表示信号も前述したスリップリングを介してトランスミット基板１５からレシーバ基板２８に伝達するようにしても良い。この場合、変換部としての赤外線トランスミッタ３５、光ファイバ３９、及び再変換部としての赤外線レシーバ３６は不要となる。
【００３４】
また、制御部３１は、例えば中央演算装置、記憶装置、記憶装置に記憶されたプログラム、および制御する各部に対するインターフェースを備えて構成され、ＬＥＤ群１７，１８，１９の明るさを保持部２０，２１，２２の回転位置および表示信号に基づいて制御する。このため、制御部３１は、回転駆動部１４、回転位置検出部１６、赤外線トランスミッタ３５、赤外線レシーバ３６、および駆動回路３８と信号のやり取りを行っている。なお、制御部３１はロジック回路および制御する各部に対するインターフェースによって構成することもできる。
【００３５】
以下、上述した表示装置１０の作用について図５のフローチャートを参照して説明を行う。電源３２は、トランスミット基板１５内の各部に電源を供給する。この電力により回転駆動部１４のモータ２９が駆動される。さらに、制御部３１は、回転位置検出部１６から所定の回転位置と回転周期Ｔの情報を取得する。制御部３１は、この位置情報に基づいて、シリパラ変換部３４を制御することにより、表示信号をパラレル信号からシリアル信号に変換して出力させる。本実施形態においては、第１保持部２０が基準位置Ａにあるときに回転位置検出部１６からの信号を制御部３１が検出する。
【００３６】
前述のパラレル信号について以下に説明する。本実施形態においては、「ＢＩＧ」という文字列を黄色で表示する場合の例で説明を行う。黄色で表示を行う場合は、赤（Ｒ）、緑（Ｇ）、青（Ｂ）の光のうち、赤（Ｒ）と緑（Ｇ）の光を合成させることにより行われ、青（Ｂ）の光は必要ない。つまり、黄色で表示を行う場合には、ＬＥＤ群１７，１８を発光させ、ＬＥＤ群１９は発光させる必要はない。
【００３７】
図６は、第１保持部２０に配列され、赤色の光を発光するＬＥＤ群１７のタイミングチャート図である。図６（Ａ）は、「ＢＩＧ」という文字列を表示する場合において、回転部１１の回転位置に対応するＬＥＤ群１７の点灯位置を示している。第１保持部２０が基準位置Ａの位置から基準位置Ｂまで回転する間は、遠心面２０Ａ側のＬＥＤ１７−１Ａ〜１７−１６Ａのスイッチングを行うことにより、遠心面２２Ａ側の表示を行っている。
【００３８】
第１保持部２０が基準位置Ｂから基準位置Ａまで回転する間は、向心面２０Ｂ側のＬＥＤ１７−１Ｂ〜１７−１６Ｂのスイッチングを行うことにより、向心面２０Ｂ側の表示を行っている。
【００３９】
図６（Ｂ）は、ＬＥＤ群１７の点灯位置に対応させて各ＬＥＤ１７−１Ａ〜１７−１６Ａ、１７−１Ｂ〜１７−１６Ｂを点灯させる表示信号のタイミングチャート図である。ＬＥＤ群１７による表示は、例えば回転部１１の回転位置Ｐ１では全てのＬＥＤを非点灯とし、回転位置Ｐ２ではＬＥＤ１７−１０Ａ〜１７−１３Ａを点灯とし、回転位置Ｐ３ではＬＥＤ１７−６Ａ〜１７−８Ａ、および１７−１０Ａ〜１７−１２Ａを点灯させるというように行われる。
【００４０】
第２保持部２１に配列され、緑色の光を発光するＬＥＤ群１８のタイミングチャートは、図６に示すＬＥＤ群１７のタイミングチャート図と同様である。第２保持部２１は、保持部２０が基準位置Ａを通過して１２０度回転した時に、基準位置Ａに到達する。この時、ＬＥＤ群１８が、遠心面２１Ａ側の表示を開始する。基準位置Ａから基準位置Ｂまで回転する間は、遠心面２１Ａ側のＬＥＤ２１−１Ａ〜２１−１６Ａのスイッチングを行うことにより、遠心面２１Ａ側の表示を行っている。
【００４１】
第２保持部２１が基準位置Ｂから基準位置Ａまで回転する間は、向心面２１Ｂ側のＬＥＤ２１−１Ｂ〜２１−１６Ｂのスイッチングを行うことにより、向心面２１Ｂ側の表示を行っている。
【００４２】
第３保持部２２の青色の光を発光するＬＥＤ群１９は、文字列「ＢＩＧ」を黄色に表示する場合には、発光させる必要がないので、表示信号は、ＬＥＤ群１９の全てを発光させない信号となる。
【００４３】
なお、文字列「ＢＩＧ」を黄色で表示する場合について説明したが、これに限るものではなく、画像をフルカラーで表示するようにしても良い。この場合には、制御部３１が、ＬＥＤ群１７，１８，１９の点灯・非点灯の２段階のみ制御するのではなく、制御部３１がＬＥＤ群１７，１８，１９の明るさを多数段階で制御し、ＬＥＤ群１７，１８，１９から発光される赤（Ｒ）・緑（Ｇ）・青（Ｂ）の光を合成させることにより、フルカラー表示すれば良い。
【００４４】
このようなＬＥＤ群１７，１８，１９のスイッチング及び明るさの制御は、１回転を１周期Ｔとして、例えば、図６（Ａ）のように表示する場合には、周期Ｔを５０分割した時間でスイッチング及び明るさの制御を行い、表示パターンを変化させることにより残像効果で画像を表示させている。なお、本実施形態では、周期Ｔを５０分割した時間でＬＥＤ１７，１８，１９のスイッチング及び明るさの制御を行っているが、これに限るものではなく、例えば、１００分割した時間でＬＥＤ１７，１８，１９のスイッチング及び明るさの制御を行っても良い。また、５０分割した時間をさらに４分割し、ＬＥＤの点灯・消灯を制御するようにしても良い。この場合、明るさの制御を行うこともできるという利点がある。
【００４５】
前述のように生成されたパラレル信号は、パラシリ変換部３４に送信されてシリアル信号に変換される。このシリアル信号は赤外線トランスミッタ３５に送信されて光信号に変換され、光信号である赤外線が光ファイバ３９内を伝播して赤外線レシーバ３６に送信される。
【００４６】
赤外線レシーバ３６は、受信した赤外線の光信号をシリアル信号に再変換してシリパラ変換部３７に送信する。シリパラ変換部３７は、このシリアル信号をパラレル信号に変換する。このパラレル信号は、図６に示すパラレル信号と同様のものであり、このパラレル信号が駆動回路３８に送信される。駆動回路３８は、このパラレル信号に基づいて対応する位置のＬＥＤ１７，１８，１９を発光させて表示する。
【００４７】
この表示においては、３つの保持部２０，２１，２２が、透明な樹脂で形成されているので、例えば、第１保持部２０が観察方向奥側にあり、第２保持部２１が観察方向手前側にある場合でも、第１保持部２０のＬＥＤ群１７の向心面２０Ｂ側から発光された光は、第２保持部２１にて遮られることはない。このため、ＬＥＤ群１７により表示される赤色の文字列「ＢＩＧ」とＬＥＤ群１８により表示される緑色の文字列「ＢＩＧ」とが重なり合って、表示面には、図７に示すように黄色の文字列「ＢＩＧ」が表示される。図７（Ａ）は遠心面２０Ａ，２１Ａ側のＬＥＤ１７−１Ａ〜１７−１６Ａ，ＬＥＤ１８−１Ａ〜１８−１６Ａによる表示面であり、図７（Ｂ）は向心面２０Ｂ，２１Ｂ側のＬＥＤ１７−１Ｂ〜１７−１６Ｂ，ＬＥＤ１８−１Ｂ〜１８−１６Ｂによる表示面である。
【００４８】
前述したような表示は、数周期（数回転）に亘って繰り返し行われる。制御部３１が表示を終了するか否かを判定する。表示を終了しないと判定された場合には、引き続き表示を行う。また、表示を終了すると判定された場合には、制御部３１が、モータ２９を停止させて、表示の処理が終了する。
【００４９】
このように、光の３原色であるＬＥＤ群１７，１８，１９を備える保持部２０，２１，２２を回転駆動させて、ＬＥＤ群１７，１８，１９のスイッチングと明るさの制御を行うことにより、円筒面上にフルカラー画像を表示することができるため、表示面に単色で表示する場合と比べて演出効果が向上する。
【００５０】
なお、本実施形態においては、３つの保持部を固定軸を中心にして各々を１２０度回転させた位置に配置したが、これに限るものではない。また、固定軸方向と平行になるように配置された透明な細い板で保持部を構成して、ＬＥＤ群を直線状に配列したが、これに限るものではなく、保持部を固定軸方向に延びた形状にして、ＬＥＤ群をライン形状に配列すれば良い。例えば、透明な細い板を固定軸方向に配置して、固定軸方向に湾曲させて回転部の回転中心線上に中心を持つ円弧形状にしても良い。この場合は、ＬＥＤ群が円弧形状に配列されるので表示面を球面にすることができる。また、保持部を、複数の透明な細い板で構成して、ＬＥＤ群を屈曲させた直線状に配列しても良い。
【００５１】
また、本実施形態においては、保持部の遠心面と向心面にＬＥＤを設けたが、これに限るものではなく、遠心面のみにＬＥＤを設けても良い。この場合は、表示装置の背面側に反射板を設置して、遠心面が背面側に回転した時に遠心面に配置されたＬＥＤの光を反射板で反射させれば良い。
【００５２】
さらに、本実施形態においては、モータ２９として、ＤＣモータを用いた例について説明したが、これに限るものではなく、例えば、パルスモータを使用しても良い。この場合は、制御部３１がパルスモータの速度を制御するので、回転位置検出部１６から所定の回転位置（表示開始位置）の情報のみを取得すれば良い。
【００５３】
次に、表示装置１０を用いた遊技機としてスロットマシン５０の説明を行う。図８は、スロットマシン５０の外観斜視図である。スロットマシン５０は、四角箱状の筐体５１を有し、筐体５１の中央部及び上部には、遊技者側に観察される表示部５２が形成されている。そして、この表示部５２の中央には、三個の回転リール５３ａ，５３ｂ，５３ｃの図柄を見ることができる図柄表示窓５４と、表示装置用窓５５とが形成されている。そして、表示装置１０は、表示装置用窓５５から見える範囲内をＬＥＤ２０，２１が移動するように筐体５１に取り付けられている。以下、スロットマシン５０について簡単に説明する。
【００５４】
ベットボタン５６は、回転リール５３ａ，５３ｂ，５３ｃの前方に位置するボタンであって、選択するゲームの種類に応じて貯留メダル数を減じて、メダル投入に代える。精算ボタン５７は、ベットボタン５６の前方に位置するボタンであって、貯留した投入メダルを払い出す。払い出されたメダルは、メダル払出口５８から放出され、メダル受皿５９に貯められる。
【００５５】
スタートレバー６０は精算ボタン５７の右側に位置するレバーであって、遊技メダルの投入若しくはベットボタン５６の投入を条件に、回転リール５３ａ，５３ｂ，５３ｃの駆動を開始させる。ストップボタン６１ａ，６１ｂ，６１ｃは、回転リール５３ａ，５３ｂ，５３ｃの駆動を停止させるためのものである。各回転リール５３ａ，５３ｂ，５３ｃは、合成樹脂からなる回転ドラムと、この回転ドラムの周囲に貼付されるテープ状のリールテープとを備えている。このリールテープの外周面には、複数個の図柄が表示されている。また、ストップボタン６１ａ，６１ｂ，６１ｃの右側には、メダル投入口６２が設けられている。
【００５６】
このスロットマシン５０において表示装置１０は、例えば、「ビックボーナス」の当選役が内部入賞した時、それを遊技者に報知するために、「ＢＩＧ」などの文字列が表示されるようにしても良いし、内部入賞した当選役を構成する図柄が表示されるようにしたり、当選役を内部入賞させるために推奨するストップボタン６１ａ，６１ｂ，６１ｃの操作順序が表示されるようにしても良い。
【００５７】
次に、表示装置１０を用いたメダル貸出機７０について説明を行う。図９は、メダル貸出機７０の外観斜視図である。このメダル貸出機７０は、筐体７１を備えており、その正面の下方に、表示装置用窓７２が設けれている。その表示装置用窓７２に表示を行うように第１実施形態の表示装置１０が取り付けられている。すなわち、表示装置１０は、表示装置用窓７２から見える範囲内を複数のＬＥＤ２０，２１が移動するように筐体７１に取り付けられている。
【００５８】
メダル貸出機７０の筐体７１の正面部には、表示装置用窓７２の上方に紙幣投入口７３、メダル払出口７４などが設けられている。メダル払出口７４は、後述するようにメダル搬送装置の終端部に位置し、これにより、払い出されたメダルをメダル溜（図示せず）に払い出すためのものである。
【００５９】
また、メダル貸出機７０は、図示はしないが、紙幣判別機と、コンピュータと、メダルホッパと、メダル搬送装置とをその内部に備えている。紙幣判別機は、紙幣投入口７３から投入された紙幣７５の種類を判別し、その判別結果をコンピュータへ送信するものである。コンピュータは、この投入された金額に応じたメダル数を演算し、その演算結果をメダルホッパに送信する。メダルホッパは、投入された金額に応じた枚数のメダルを一枚ずつ排出するものである。メダル搬送装置は、メダルホッパとメダル払出口との間を結んでいる。
【００６０】
このメダル貸出機７０において、表示装置１０は、例えば、投入された紙幣７５の金額に相当するメダルの数量などを表示する。
【００６１】
【発明の効果】
以上説明したように、本発明の表示装置によれば、立体的演出が可能となるうえ、光の三原色であるＲＧＢの各色を発光する３種類の発光素子が設けられた３個の保持部を設け、これらの発光素子の明るさを制御することにより、フルカラー表示が可能となる。このため、表示形態の自由度が向上し、演出効果を高めることができる。また、遊技機や、遊技機にて使用されるメダルを貸し出すメダル貸出機にこの表示装置を用いることにより、遊技者に対するアピール度や演出効果が向上し、独特の興趣を遊技者に与えることができる。
【００６２】
さらに、表示領域全体に多数の発光素子を密に配置した場合に比べて、少ない数の発光素子でフルカラー表示が可能であるので低コストで製造可能である。また、保持部の形状を変化させることにより、表示面の形状を変化させることができるため、演出効果を向上させることができる。
【図面の簡単な説明】
【図１】本発明の表示装置の概略構成を示す斜視図である。
【図２】回転部の構成を示す平面図である。
【図３】第１保持部の構成を示す側面断面図である。
【図４】本発明の表示装置の電気構成を示すブロック図である。
【図５】本発明の表示装置の作用を説明するフローチャート図である。
【図６】表示信号であるパラレル信号のタイミングチャート図である。
【図７】表示装置により表示される表示面のイメージ図である。
【図８】表示装置を用いたスロットマシンの外観斜視図である。
【図９】表示装置を用いたメダル貸出機の外観斜視図である。
【符号の説明】
１０  表示装置
１１  回転部
１２，１３  固定軸
１４  回転駆動部
１５  トランスミット基板
１６  回転位置検出部
１７，１８，１９  ＬＥＤ群
２０  第１保持部
２１  第２保持部
２２  第３保持部
２４，２５  軸受
２６，２７  支持部
２８  レシーバ基板
２９  モータ
５０  スロットマシン
５５  表示装置用窓
７０  メダル貸出機
７２  表示装置用窓
【図１】
2004254947.tif 000003
【図２】
2004254947.tif 000004
【図３】
2004254947.tif 000005
【図４】
2004254947.tif 000006
【図５】
2004254947.tif 000007
【図６】
2004254947.tif 000008
【図７】
2004254947.tif 000009
【図８】
2004254947.tif 000010
【図９】
2004254947.tif 000011